(57)【要約】　　　（修正有）【課題】データ・トランスミッティング方式を柔軟に選択できる、ビジネス・カード・レコーダー及びトランスミッティング・モジュールを提供する。【解決手段】それぞれ二つの外部接続装置に接続される各コネクティング・ポート２０２，２０４と、二つの各コネクティング・ポート２０２，２０４同士との間に電気的に接続される検出及び切替電気回路とを有するトランスミッティング・モジュールとを含む。二つの外部接続装置の一つがビジネス・カード・レコーダーに接続される場合、検出及び切替電気回路がスキャニング・モジュールと電気的に接続される外部接続装置との間のデータ・トランスミッティングを成立させると共に、二つの外部接続装置同士が同時にビジネス・カード・レコーダーに接続される場合、検出及び切替電気回路が相互データ・トランスミッティング・モードまたは一つのデータ・トランスミッティング・モードを選択的に成立させる。【選択図】　　　図２
0003097247.tif 000002
【実用新案登録請求の範囲】
【請求項１】
二つの外部接続装置の少なくとも一つに接続できるビジネス・カード・レコーダーにおいて、
スキャニング・モジュールと、
それぞれ二つの外部接続装置に接続されるファースト・ユニバーサル・シリアル・バス・コネクティング・ポートとセカンド・ユニバーサル・シリアル・バス・コネクティング・ポートと、前記スキャニング・モージュルと前記二つのユニバーサル・シリアル・バス・コネクティング・ポート同士との間に電気的に接続される検出及び切替電気回路とを有するトランスミッティング・モジュールと、を含み、
前記二つの外部接続装置の一つが前記ビジネス・カード・レコーダーに電気的に接続された際、前記検出及び切替電気回路が前記スキャニング・モジュールと電気的に接続される外部接続装置との間のデータ・トランスミッティングを成立させることができ、
前記二つの外部接続装置同士が同時に前記ビジネス・カード・レコーダーに電気的に接続された際、前記検出及び切替電気回路が相互データ・トランスミッティング・モードまたは少なくとも一つのデータ・トランスミッティング・モードを選択的に成立させることができるよう構成したことを特徴とするビジネスカードレコーダー。
【請求項２】
前記二つの外部接続装置とは、パーソナル・コンピュータと、パーソナル・デジタル・アシスタントとを言いながら、前記パーソナル・コンピュータが前記ファースト・ユニバーサル・シリアル・バス・コネクティング・ポートに接続されると共に、前記パーソナル・デジタル・アシスタントが前記セカンド・ユニバーサル・シリアル・バス・コネクティング・ポートに接続されるよう構成したことを特徴とする請求項１に記載のビジネスカードレコーダー。
【請求項３】
前記検出及び切替電気回路が前記ファースト・ユニバーサル・シリアル・バス・コネクティング・ポートと前記セカンド・ユニバーサル・シリアル・バス・コネクティング・ポートとのパワー・コネクティング・レッグの状態に従ってパーソナル・コンピュータとパーソナル・デジタル・アシスタントのコネクティング状態を判断するよう構成したことを特徴とする請求項２に記載のビジネスカードレコーダー。
【請求項４】
さらに切替スイッチを有し、当該切替スイッチが前記検出及び切替電気回路に電気的に接続され、二つの外部接続装置が同時にビジネス・カード・レコーダーに電気的に接続される場合に、前記検出及び切替電気回路が前記切替スイッチのコントロールを受けることができ、そのコントロールによって相互データ・トランスミッティング・モードまたは少なくとも一つのデータ・トランスミッティング・モードを実行するよう構成したことを特徴とする請求項１に記載のビジネスカードレコーダー。
【請求項５】
前記相互データ・トランスミッティング・モードは、パーソナル・コンピュータとパーソナル・デジタル・アシスタントとの間でデータを相互にトランスミッティングすることであることを特徴とする請求項２に記載のビジネスカードレコーダー。
【請求項６】
プリセットのトランスミッティング・モードは、パーソナル・デジタル・アシスタントとスキャニング・モジュールとの間のデータ・トランスミッティング・モードであることを特徴とする請求項２に記載のビジネスカードレコーダー。
【請求項７】
前記セカンド・ユニバーサル・シリアル・バス・コネクティング・ポートにはソケットが配置され、パーソナル・デジタル・アシスタントがそれを介して外部電源と接続できるようにすることによってパーソナル・デジタル・アシスタントに対しチャージングできるよう構成したことを特徴とする請求項２に記載のビジネスカードレコーダー。
【請求項８】
ビジネス・カード・レコーダーに利用され、当該ビジネス・カード・レコーダーを同時に二つの外部接続装置の少なくとも一つに接続できると共に、当該ビジネス・カード・レコーダーのスキャニング・モジュールと外部接続装置との間のデータ・トランスミッティングをコントロールできるトランスミッティング・モジュールにおいて、
それぞれ前記二つの外部接続装置に接続されるファースト・ユニバーサル・シリアル・バス・コネクティング・ポートと、セカンド・ユニバーサル・シリアル・バス・コネクティング・ポートと、
前記スキャニング・モジュールと前記二つのユニバーサル・シリアル・バス・コネクティング・ポート同士との間に接続される検出及び切替電気回路と、を備えつつ、
前記二つの外部接続同士の中の一つが前記ビジネス・カード・レコーダーに接続される場合に、前記検出及び切替電気回路が前記スキャニング・モジュールと電気的に接続される外部接続装置との間のデータ・トランスミッティングを成立させられると共に、前記二つの外部接続装置同士がすべて前記ビジネス・カード・レコーダーに電気的に接続される場合に、前記検出及び切替電気回路が相互データ・トランスミッティング・モードまたは少なくとも一つのデータ・トランスミッティング・モードを選択的に実行できるよう構成したことを特徴とするトランスミッティングモジュール。
【請求項９】
さらに切替スイッチを有し、当該切替スイッチが前記検出及び切替電気回路に電気的に接続され、二つの外部接続装置が同時にビジネス・カード・レコーダーに電気的に接続される場合に、前記検出及び切替電気回路が前記切替スイッチのコントロールを受けることができ、そのコントロールによって相互データ・トランスミッティング・モードまたは少なくとも一つのデータ・トランスミッティング・モードを実行するよう構成したことを特徴とする請求項８に記載のトランスミッティングモジュール。
【請求項１０】
前記二つの外部接続装置とは、パーソナル・コンピュータと、パーソナル・デジタル・アシスタントとであり、前記パーソナル・コンピュータが前記ファースト・ユニバーサル・シリアル・バス・コネクティング・ポートに接続されると共に、前記パーソナル・デジタル・アシスタントが前記セカンド・ユニバーサル・シリアル・バス・コネクティング・ポートに接続されるよう構成したことを特徴とする請求項８に記載のトランスミッティングモジュール。
【請求項１１】
前記検出及び切替電気回路が前記ファースト・ユニバーサル・シリアル・バス・コネクティング・ポートと前記セカンド・ユニバーサル・シリアル・バス・コネクティング・ポートとのパワー・コネクティング・レッグの状態に従ってパーソナル・コンピュータとパーソナル・デジタル・アシスタントのコネクティング状態を判断するよう構成したことを特徴とする請求項１０に記載のトランスミッティングモジュール。
【請求項１２】
前記相互データ・トランスミッティング・モードは、パーソナル・コンピュータとパーソナル・デジタル・アシスタントとの間の相互データ・トランスミッティングを表わすことを特徴とする請求項１０に記載のトランスミッティングモジュール。
【請求項１３】
前記データ・トランスミッティング・モードは、パーソナル・デジタル・アシスタントとスキャニング・モジュールとの間のデータ・トランスミッティングのことであることを特徴とする請求項１０に記載のトランスミッティングモジュール。
【請求項１４】
前記データ・トランスミッティング・モードは、パーソナル・コンピュータとスキャニング・モジュールとの間のデータ・トランスミッティングのことであることを特徴とする請求項１０に記載のトランスミッティングモジュール。
【請求項１５】
前記セカンド・ユニバーサル・シリアル・バス・コネクティング・ポートにはソケットが配置され、パーソナル・デジタル・アシスタントがそれを介して外部電源と接続できるようにすることによってパーソナル・デジタル・アシスタントに対しチャージングできるようにしたことを特徴とする請求項１０に記載のトランスミッティングモジュール。
【考案の詳細な説明】
【０００１】
【考案の属する技術分野】
本考案は、ビジネス・カード・レコーダー（ＢＣＲ）に係わり、特に同時にパーソナル・コンピュータとパーソナル・デジタル・アシスタントに利用できるビジネス・カード・レコーダーに関するものであり、それによってパーソナル・コンピュータとパーソナル・デジタル・アシスタントとのファイルの相互トランスミッティングを柔軟的に利用できるようにする目的を図る。
【０００２】
【従来の技術】
ビジネス・カード・レコーダーは、小型のスキャニング・デバイスであり、ビジネス・カード（名刺）をグラフィック・ファイルになるようにスキャニング処理でき、また、トランスミッティング・ポート、例えばユニバーサル・シリアル・バス（ＵＳＢ）・ポートを介してグラフィック・ファイルをパーソナル・コンピュータにトランスミッティングする。パーソナル・コンピュータはフォント識別ソフトウェア（ＯＣＲ）などによってビジネス・カードにおけるキー・ワード、例えば人名や職業やアドレスや電子メールなどを識別し出すことができ、文字をイメージよりキャッチし出すことができ、また、それらのデータを電子メールのアドレス帳、例えばＭＳアウトルック（Ｏｕｔｌｏｏｋ）などのアドレス帳に記憶できる。そのようなビジネス・カード・レコーダーによって一般的によく使用されるビジネス・カード（名刺）を有用な電子データに転換でき、多忙な現代人間に対しては極めて有用的である。
【０００３】
図１は従来のビジネス・カード・レコーダー１０のシステムを示すブロック図である。そのビジネス・カード・レコーダー１０には、スキャナー・コントローラ１００と、紙導入検出装置１０２と、モータ・コントローラ１０４と、コンタクト・タイプ・イメージ・センサー（ＣＩＳ）１０６と、ユニバーサル・シリアル・バス（ＵＳＢ）ポート２０６とを有する。紙導入検出装置１０２はビジネス・カード（名刺）がビジネス・カード・スキャナー１０の紙導入槽に導入されることを検出する場合、スキャナー・コントローラ１００に知らせてモータ・コントローラ１０４を駆動してビジネス・カードを導入し、且つコンタクト・タイプ・イメージ・センサー１０６を起動してビジネス・カードのイメージをスキャニングする。スキャニングし得たビジネス・カード・イメージをまずスキャナー・コントローラ１００に記憶し、それからＵＳＢポート２０６を介して外部装置、例えばパーソナル・コンピュータなどへトランスミッティングする。
【０００４】
しかしながら、ポータブル・タイプ・エレクトロニック・デバイス、例えばＰＤＡなどがますます普遍化してゆき、ユーザー（特にビジネス・マンの場合）が人名や職業やアドレスや電子メールなどのアドレス帳をＰＤＡに記憶し、それから情報同期相互通信ソフトウェアＡｃｔｉｖｅＳｙｎｃなどによってＰＤＡにおける情報をコンピュータにおける情報へ同期的にアップデートする。しかしながら、従来のビジネス・カード・レコーダーにおいては単に一つのＵＳＢポートしかなく、使用には大した不便さがあり、また、ビジネス・カード・レコーダーは普段ＵＳＢポートを介してパーソナル・コンピュータやＰＤＡなどよりパワーを取得し、ビジネス・カード・レコーダーが所定のパワーを消耗するので、ＰＤＡのユーザーにとっては不便である。
【０００５】
【考案が解決しようとする課題】
そのため、本考案は、二つの外部接続装置をコネクティングできると共に、データ・トランスミッティング方式を柔軟的に選択できる、ビジネス・カード・レコーダーを提供することをその主要な目的とする。
【０００６】
また、本考案は、パーソナル・デジタル・アシスタント（ＰＤＡ）に対しチャージングを実行可能なビジネス・カード・レコーダーを提供することをその次の目的とする。
【０００７】
【課題を解決するための手段】
前記の目的を図るために、本考案は、スキャニング・モジュールと、ＵＳＢ検出及び切替電気回路と、二つのＵＳＢポート同士とを有する、ビジネス・カード・レコーダーを提供する。このビジネス・カード・レコーダーによる場合、それぞれまたは同時にＵＳＢポートを介してパーソナル・コンピュータとパーソナル・デジタル・アシスタントとを接続でき、且つＵＳＢ検出及び切替電気回路によってスキャニング・モジュールと、パーソナル・コンピュータ及びパーソナル・デジタル・アシスタントとの間のデータ・トランスミッティングを切り替えられ、且つビジネス・カード・レコーダーには外部電源を接続可能なソケットを備え、ＰＤＡに対しチャージングする機能を提供できる。
【０００８】
以下に添付図面を参照しながら本考案の好適な実施の形態を詳細的で具体的に説明するが、それらの説明による具体的な構成は単に本考案の優れた実施例に過ぎず、本考案の主張範囲を狭義的に制限するものではない。
【０００９】
【考案の実施の形態】
図２は本考案の機能を示すブロック図である。本考案によるビジネス・カード・レコーダーには、ビジネス・カード・レコーダー・コントローラ１００と、紙導入検出装置１０２と、モータ・コントローラ１０４と、コンタクト・タイプ・イメージ・センサー１０６と、パワー・スタビライザー１０８と、昇圧電気回路１１０と、ＵＳＢ検出及び切替電気回路２００と、ファースト・ユニバーサル・シリアル・バス・コネクティング・ポート２０２と、セカンド・ユニバーサル・シリアル・バス・コネクティング・ポート２０４とを具備する。本考案のポイントは、ビジネス・カード・レコーダーにＵＳＢ検出及び切替電気回路２００と二つのユニバーサル・シリアル・バス・コネクティング・ポート同士２０２，２０４とを提供することにある。前記図面に示すように、本考案によるビジネス・カード・レコーダーはファースト・ユニバーサル・シリアル・バス・コネクティング・ポート２０２を介してパーソナル・コンピュータに接続できながら、セカンド・ユニバーサル・シリアル・バス・コネクティング・ポート２０４を介してパーソナル・デジタル・アシスタントに接続できる。本考案のＵＳＢ検出及び切替電気回路２００はファースト・ユニバーサル・シリアル・バス・コネクティング・ポート２０２とセカンド・ユニバーサル・シリアル・バス・コネクティング・ポート２０４のコネクティング状態を判断でき、外部接続装置が接続されると共に、パワーが投入されているかなどを判断でき、且つ当該ＵＳＢ検出及び切替電気回路２００には切替スイッチＳＷを有し、それによってファースト・ユニバーサル・シリアル・バス・コネクティング・ポート２０２とセカンド・ユニバーサル・シリアル・バス・コネクティング・ポート２０４とがすべて外部接続装置を接続している場合にそのオペレーション・モードを切り替える。
【００１０】
図３は本考案のビジネス・カード・レコーダーのＵＳＢ検出及び切替電気回路２００を示す説明図であり、当該ＵＳＢ検出及び切替電気回路２００の電気的接続状態を示す。このＵＳＢ検出及び切替電気回路２００がビジネス・カード・レコーダー・コントローラ１００のイメージ・データ・シグナル・トランスミッティング・コネクティング・レッグＢＣＲ　Ｄ＋及びＢＣＲ　Ｄ−に接続されつつ、ファースト・ユニバーサル・シリアル・バス・コネクティング・ポート２０２（パーソナル・コンピュータに接続されるようにプリセットされる）のデータ・シグナル・トランスミッティング・コネクティング・レッグＮＢ　Ｄ＋及びＮＢ　Ｄ−に接続され、且つパワー・シグナル・コネクティング・レッグＮＢ＿ＰＬＵＧに接続されつつ、セカンド・ユニバーサル・シリアル・バス・コネクティング・ポート２０４（パーソナル・デジタル・アシスタントに接続されるようにプリセットされる）のデータ・シグナル・トランスミッティング・コネクティング・レッグＰＤＡ　Ｄ＋及びＰＤＡ　Ｄ−に接続され、且つパワー・シグナル・コネクティング・レッグＰＤＡ＿ＰＬＵＧに接続される。また、このＵＳＢ検出及び切替電気回路２００には切替スイッチＳＷ１に接続されるコネクティング・レッグを有する。このＵＳＢ検出及び切替電気回路２００はパワー・シグナル・コネクティング・レッグＮＢ＿ＰＬＵＧとパワー・シグナル・コネクティング・レッグＰＤＡ＿ＰＬＵＧとのシグナル状態を検出することによってパーソナル・コンピュータ及び／またはパーソナル・デジタル・アシスタントがこのビジネス・カード・レコーダーに接続されているかを了解する。
【００１１】
もし、パーソナル・コンピュータとパーソナル・デジタル・アシスタントの中の一つがこのビジネス・カード・レコーダーに接続される場合、ＵＳＢ検出及び切替電気回路２００がパワー・シグナル・コネクティング・レッグＮＢ＿ＰＬＵＧとパワー・シグナル・コネクティング・レッグＰＤＡ＿ＰＬＵＧとのシグナル状態に従って判断を実行でき、且つ前記イメージ・データ・シグナル・トランスミッティング・コネクティング・レッグＢＣＲ　Ｄ＋及びＢＣＲ　Ｄ−とパーソナル・コンピュータの前記データ・シグナル・トランスミッティング・コネクティング・レッグＮＢ　Ｄ＋及びＮＢ　Ｄ−とのコネクティングまたは前記イメージ・データ・シグナル・トランスミッティング・コネクティング・レッグＢＣＲ　Ｄ＋及びＢＣＲ　Ｄ−とパーソナル・デジタル・アシスタントの前記データ・シグナル・トランスミッティング・コネクティング・レッグＰＤＡ　Ｄ＋及びＰＤＡ　Ｄ−とのコネクティングを提供できる。
【００１２】
もし、パーソナル・コンピュータとパーソナル・デジタル・アシスタントとの両者が共にビジネス・カード・レコーダーにコネクティングされる場合、前記ＵＳＢ検出及び切替電気回路２００が切替スイッチＳＷ１のコントロールを受けることができ、次の二つのモードの中の一つのモードを実行する。
【００１３】
（１）情報同期モード（Ａｃｔｉｖｅ　Ｓｙｎｃ）：ＵＳＢ検出及び切替電気回路２００がパーソナル・コンピュータのデータ・シグナル・トランスミッティング・コネクティング・レッグＮＢ　Ｄ＋及びＮＢ　Ｄ−とパーソナル・デジタル・アシスタントのデータ・シグナル・トランスミッティング・コネクティング・レッグＰＤＡ　Ｄ＋及びＰＤＡ　Ｄ−とのコネクティングを提供することによって、パーソナル・コンピュータとパーソナル・デジタル・アシスタントとの間の情報の同期的トランスミッティングの目的を図る。
【００１４】
（２）パーソナル・デジタル・アシスタント・トランスミッティング・モード：本考案はパーソナル・デジタル・アシスタントをホスト・デバイス（Ｈｏｓｔ　Ｄｅｖｉｃｅ）とするようにプリセットし、そのため、パーソナル・コンピュータとパーソナル・デジタル・アシスタントとの両者が共にビジネス・カード・レコーダーにコネクティングされる場合、ＵＳＢ検出及び切替電気回路２００が切替スイッチＳＷ１のコントロールを受け、イメージ・データ・シグナル・トランスミッティング・コネクティング・レッグＢＣＲ　Ｄ＋及びＢＣＲ　Ｄ−とパーソナル・デジタル・アシスタントのデータ・シグナル・トランスミッティング・コネクティング・レッグＰＤＡ　Ｄ＋及びＰＤＡ　Ｄ−とのコネクティングを提供する。
【００１５】
前記のオペレーションは次の表１によって示すことができる。
【００１６】
【表１】
0003097247.tif 000003
図４は本考案の検出及び切替電気回路を示す電気回路図であり、本考案の実施の形態において、四つのアナログ・スイッチを使用しつつ、パワー・シグナル・コネクティング・レッグＮＢ＿ＰＬＵＧとパワー・シグナル・コネクティング・レッグＰＤＡ＿ＰＬＵＧとのシグナル状態のコントロールを受けることによって、イメージ・データ・シグナル・トランスミッティング・コネクティング・レッグＢＣＲ　Ｄ＋及びＢＣＲ　Ｄ−とパーソナル・コンピュータのデータ・シグナル・トランスミッティング・コネクティング・レッグＮＢ　Ｄ＋及びＮＢ　Ｄ−とパーソナル・デジタル・アシスタントのデータ・シグナル・トランスミッティング・コネクティング・レッグＰＤＡ　Ｄ＋及びＰＤＡ　Ｄ−とのコネクティング状態を切り替える。また、切替スイッチＳＷ１がパーソナル・デジタル・アシスタントのデータ・シグナル・トランスミッティング・コネクティング・レッグＰＤＡ　Ｄ＋及びＰＤＡ　Ｄ−のコネクティング状態を切り替えられ、ファースト・ユニバーサル・シリアル・バス・コネクティング・ポート２０２とセカンド・ユニバーサル・シリアル・バス・コネクティング・ポート２０４とにすべて外部接続装置が接続されている場合に情報同期モード（Ａｃｔｉｖｅ　Ｓｙｎｃ）またはパーソナル・デジタル・アシスタント・トランスミッティング・モードを提供する。
【００１７】
また、本考案において、セカンド・ユニバーサル・シリアル・バス・コネクティング・ポート２０４にソケット（図示せず）を設ける場合、外部電源を接続できるようになり、パーソナル・デジタル・アシスタントにチャージング機能を提供できつつ、ビジネス・カード・レコーダーのパワー・スタビライザー１０８と昇圧電気回路１１０とを合せることによってビジネス・カード・レコーダーにもっと安定的なパワーを提供できる。
【００１８】
【考案の効果】
前記に説明した通り、本考案によるビジネス・カード・レコーダーは二つの外部接続装置を接続できると共に、そのトランスミッティング・ファンクションを選択的に切り替えることができ、且つパーソナル・デジタル・アシスタントにチャージング機能を提供できる。
【図面の簡単な説明】
【図１】図１は従来物を示すブロック図である。
【図２】図２は本考案を示すブロック図である。
【図３】図３は本考案の検出及び切替電気回路を示す説明図である。
【図４】図４は本考案の検出及び切替電気回路を示す電気回路図である。
【符号の説明】
１００　ビジネス・カード・レコーダー
１０２　紙導入検出装置
１０４　モータ・コントローラ
１０６　コンタクト・タイプ・イメージ・センサー
１０８　パワー・スタビライザー
１１０　昇圧電気回路
２００　ＵＳＢ検出及び切替電気回路
２０２　ファースト・ユニバーサル・シリアル・バス・コネクティング・ポート
２０４　セカンド・ユニバーサル・シリアル・バス・コネクティング・ポート
２０６　ユニバーサル・シリアル・バス・コネクティング・ポート
【図１】
0003097247.tif 000004
【図２】
0003097247.tif 000005
【図３】
0003097247.tif 000006
【図４】
0003097247.tif 000007